(57)【要約】【課題】画像サーバ部に保管した撮影コマ画像データにアクセスする際に必要な画像預かり情報の取り扱いを簡易にする写真プリント注文システムを提供する。【解決手段】撮影コマ画像データを画像サーバ部４に格納させるユーザ端末７に対してデータ預かり情報の二次元コードを与える画像受付部４と、前記ユーザ端末から提示された前記二次元コードを解読して再生された前記データ預かり情報に基づいて前記画像サーバ部から抽出された撮影コマ画像データに関する写真プリント注文を処理して写真プリント注文情報を生成する写真プリント注文受付部５とから構成される写真プリント注文処理システム。【選択図】        図１
2005234975.tif 000002
【特許請求の範囲】
【請求項１】
撮影コマ画像データを画像サーバ部に格納させるユーザ端末に対してデータ預かり情報の二次元コードを与える画像受付部と、前記ユーザ端末から提示された前記二次元コードを解読して再生された前記データ預かり情報に基づいて前記画像サーバ部から抽出された撮影コマ画像データに関する写真プリント注文を処理して写真プリント注文情報を生成する写真プリント注文受付部とから構成される写真プリント注文処理システム。
【請求項２】
前記預かり情報には前記ユーザ端末のユーザ情報と前記画像サーバ部における前記撮影コマ画像データの格納場所情報とが含まれていることを特徴とする請求項１に記載の写真プリント注文処理システム。
【請求項３】
前記ユーザ端末はカメラ付き携帯電話であり、前記撮影コマ画像データはこのカメラ付き携帯電話で取得されるとともにデータ伝送ラインを通じて前記画像受付部に送信され、かつ前記画像受付部から前記二次元コードをデータ伝送ラインを通じて受け取ることを特徴とする請求項１又は２に記載の写真プリント注文処理システム。
【請求項４】
前記写真プリント注文受付部に対する前記ユーザ端末の前記二次元コードの提示は前記カメラ付き携帯電話の表示画面と前記写真プリント注文受付部のイメージスキャナを通じて行われることを特徴とする請求項３に記載の写真プリント注文処理システム。
【請求項５】
前記写真プリント注文受付部に対する前記ユーザ端末の前記二次元コードの提示はデータ伝送ラインを介しての前記二次元コードの伝送によって行われることを特徴とする請求項３に記載の写真プリント注文処理システム。
【請求項６】
前記写真プリント注文受付部は前記二次元コードを提示したユーザ端末に対する写真プリント注文処理のために前記画像サーバ部に格納されていた撮影コマ画像データに基づいて一覧化された撮影コマ画像と写真プリント注文欄を生成することを特徴とする請求項１〜５のいずれか１項に記載の写真プリント注文処理システム。
【請求項７】
前記預かり情報は暗号化されてから二次元コード化され、コード解読された情報は復号化によって元の前記預かり情報に再生されることを特徴とする請求項１〜６のいずれか１項に記載の写真プリント注文処理システム。
【発明の詳細な説明】
【技術分野】
【０００１】
本発明は、デジタルカメラやカメラ付き携帯電話などのユーザ端末で取得された撮影コマ画像データをＤＰショップなどが運営する画像データ格納装置に格納し、その後ユーザの要求に基づいてこの画像データ格納装置に格納されている撮影コマ画像データの写真プリント出力注文をうける写真プリント注文処理システムに関する。
【背景技術】
【０００２】
写真画像データ（撮影コマ画像データ）を画像サーバに保管して、種々に活用するシステムとして、大容量ディスクを備えたサーバコンピュータ（画像サーバ）と、デジタルカメラで撮影した写真画像データをその画像サーバに保管するための各種手段と、その画像サーバに蓄積保管された写真画像データを活用するための各種手段からなるものが知られており、そのシステムでは、デジタルカメラの内蔵メモリから写真画像データを受け取った画像サーバは、デジタルカメラのタイプコード、製造ＮＯコード、デジタルカメラの所有者コード、撮影日付、転送日付、内蔵メモリ内でのコマ番号などの情報を組み合わせてファイル名を決定して、その名称でこの撮影コマ画像データを保存し、後ほどアクセスしてきた機器に対して写真画像データの閲覧やプリント注文などのサービスを実施する（例えば、特許文献１参照。）。
【０００３】
上述したシステムは、通信ネットワークを介してユーザが写真画像データを画像サーバに一旦保管しておき、適当な機会にその写真画像データの閲覧やその写真プリント注文などを行うことを可能とする道を開いているが、写真画像データを読み出すために要求されるユーザ認証情報やディレクトリやファイル名などのいわゆるデータ預かり情報というべき情報を何らかの形で記憶しておき、それを入力する必要があるが、その際のユーザフレンドリーなインタフェースや通信ネットワークを利用する際のセキュリティに関する問題は考慮されていない。
【０００４】
通信ネットワークを用いた写真プリント注文におけるセキュリティ問題の１つの解決策として、クライアントからのプリント注文を受け付け、クライアントから画像データ（撮影コマ画像データ）がアップロードされるサーバーシステムと、サーバーシステムから画像データをダウンロードし、プリント注文に係る写真プリントを作成する写真処理システムと、プリント処理が終了した場合に、サーバーシステムにより顧客の携帯電話に対して本人認証用のバーコードを送信し、顧客が来店した際に携帯電話の表示画面に表示されるバーコードにより本人認証を行うように構成した写真プリント注文システムが提案されている（例えば、特許文献２参照。）。
【０００５】
この写真プリント注文システムでは、携帯電話に表示されるバーコードを店頭で提示した者は、正当な注文者であると確認することで、写真店は安心して写真プリントを手渡すことができる程度のセキュリティは確保されているが、ここでは、ユーザは画像データをサーバシステムにアップロードすると同時に写真プリント注文を行うので、サーバシステムから画像データを再び取り扱うための前述した預かり情報の取り扱い問題は考慮されていない。
【０００６】
【特許文献１】特開平１０−１５０５２３号公報（段落番号００２７−００３７、第１図）
【特許文献２】特開２００３−１４０８６５号公報（段落番号００３８−００４６、第２図）
【発明の開示】
【発明が解決しようとする課題】
【０００７】
上記実状に鑑み、本発明の課題は、画像サーバ部に保管した撮影コマ画像データにアクセスする際に必要な画像預かり情報の取り扱いを簡易にする写真プリント注文システムを提供することである。
【課題を解決するための手段】
【０００８】
上記課題を解決するため、本発明による写真プリント注文処理システムは、撮影コマ画像データを画像サーバ部に格納させるユーザ端末に対してデータ預かり情報の二次元コードを与える画像受付部と、前記ユーザ端末から提示された前記二次元コードを解読して再生された前記データ預かり情報に基づいて前記画像サーバ部から抽出された撮影コマ画像データに関する写真プリント注文を処理して写真プリント注文情報を生成する写真プリント注文受付部とから構成されている。
【０００９】
この構成によれば、ユーザは、有線又は無線で画像受付部とデータ伝送可能に接続されたユーザ端末を用いて直接に、又はユーザ端末から外されたメモリカード等のリムーバブル記録媒体を用いて撮影コマ画像データを入力して二次元コード化されたデータ預かり情報を受け取りさえすると、画像受付部に入力された撮影コマ画像データが画像サーバ部に格納されるので、後は好きな時に、ユーザ端末を介して二次元コード化されたデータ預かり情報（つまり二次元コード）を写真プリント注文受付部に提示するだけで、そのデータ預かり情報に基づいて前記画像サーバ部から該当する撮影コマ画像データが抽出され、その写真プリント注文を行うことができる。ユーザによってなされた写真プリント注文は写真プリント注文受付部によって写真プリント注文情報化されるので、この写真プリント注文情報を例えばデジタルミニラボとしてよく知られた写真プリント装置に与えることで適正な写真プリントが出力される。従って、ユーザはデジタルカメラやカメラ付き携帯電話などの撮影機器を使用中において撮影コマ画像データを記録するメディアが満杯又はほぼ満杯になった場合近くに設置されている画像受付部を介してその撮影コマ画像のデータを画像サーバ部に預けておき、後からその撮影コマ画像の写真プリントの注文を二次元コード化されたデータ預かり情報を、好ましくはデータ伝送技術を用いてあるいはデータスキャニング技術を用いて電子的に提示するだけで、高いセキュリティをもって簡単かつ確実に行うことができる。
【００１０】
特に、このデータ預かり情報を二次元コード化する前に暗号化しておき、二次元コード化されたデータ預かり情報を解読して再生した後復号化することで元のデータ預かり情報が再生されるように構成することで、二次元コードとして一般に流通しているもの、例えばＱＲコードなどを採用しても、ユーザなどはその内容を知ることが不可能となる。このことは、本発明の好適な実施形態として、データ預かり情報にユーザ情報や画像サーバ部での撮影コマ画像データの格納場所情報を含ませていても、その情報は公にはならないので、高いセキュリティが保証される。
【００１１】
この写真プリント注文処理システムの実用化にあたって特に好ましい形態として提案されるのは、前記ユーザ端末がカメラ付き携帯電話であり、前記撮影コマ画像データはこのカメラ付き携帯電話で取得されるとともにデータ伝送ラインを通じて前記画像受付部に送信され、かつ前記画像受付部から前記二次元コードをデータ伝送ラインを通じて受け取るようなシステムである。このシステムでは、撮影コマ画像データの画像受付部への伝送、前記二次元コードのユーザ側とシステム側とのやりとりが全て通信回線を通じて行うことができ、ユビキタス化された写真プリント注文システムが実現する。特に、データ預かり情報にプリント注文処理部のＵＲＬをも含めておくと、ユーザ端末からプリント注文処理部へのアクセスも自動的に行うことが可能となる。
【００１２】
ユーザが店頭に設置された写真プリント注文受付部に出向いて写真プリントを行う場合でも、前記写真プリント注文受付部に対する前記ユーザ端末の前記二次元コードの提示が前記カメラ付き携帯電話の表示画面と前記写真プリント注文受付部のイメージスキャナを通じて行われるようにすることで、その注文手続きは従来に較べ十分にスムーズなものとなる。もちろん表示画面をスキャニングする代わりに、前記二次元コードの提示をＵＳＢなどの通信インターフェースに基づくデータ伝送ラインを介しての二次元コードの伝送によって行うことも効果的である。
【００１３】
写真プリント注文をスムーズに行うための好適な態様として、前記写真プリント注文受付部が前記二次元コードを提示したユーザ端末に対する写真プリント注文処理のために前記画像サーバ部に格納されていた撮影コマ画像データに基づいて一覧化された撮影コマ画像と写真プリント注文欄を生成することが提案される。
本発明によるその他の特徴及び利点は、以下図面を用いた実施形態の説明により明らかになるだろう。
【発明を実施するための最良の形態】
【００１４】
本発明による写真プリント注文処理システムにおける各種情報の流れを図１によるモデルを用いて説明する。この写真プリント注文処理システムは写真プリントショップによって運営され、デジタルカメラやカメラ付き携帯電話などのユーザ端末７によってメモリカード等の記録メディアＭに格納された撮影コマ画像データをユーザから受け取って一旦格納し、その後、ユーザからの要求に基づいて格納されている該当撮影コマ画像データを抽出してユーザに対して表示し、その中からユーザが選んだ撮影コマ画像データに関する写真プリント注文を受けて、写真プリント注文情報を生成するものであるが、ユーザ側と写真プリントショップ側との間の撮影コマ画像データのやりとりにおいて二次元コード化された情報がキーとして用いられていることに特徴がある。
【００１５】
写真プリント注文処理システムは、ユーザ端末７から撮影コマ画像データを受け取る画像受付部４、この画像受付部４が受け取った撮影コマ画像データを所定場所に格納する画像サーバ部６、この画像サーバ部６に格納されている撮影コマ画像に対するユーザからの写真プリント注文を受け付ける写真プリント注文受付部５から構成されるが、このモデルでは写真プリント注文受付部５によって作成された写真プリント注文情報に基づいて写真プリントＦＰを出力する写真プリント装置１も含まれている。
【００１６】
ユーザとしてのユーザ端末７がユーザ情報とともに画像サーバ部４に撮影コマ画像データを入力すると（＃０１）、画像受付部４は入力された撮影コマ画像データをユーザ情報や受付日付などから作成された受付データとともに画像サーバ部６に転送する（＃０２）。画像サーバ部６は、受け取った撮影コマ画像データを受付データに関連づけて作成された画像格納アドレス（格納ディレクトリ）に格納し、この画像格納アドレスを画像受付部４に送る（＃０３）。画像受付部４は受け取った画像格納アドレスと受付データとを組み合わせて二次元コード化、この実施形態ではＱＲコード化し、ＱＲコードを生成し（＃０３）、このＱＲコードをデータ預かり情報としてユーザ端末７に返す（＃０４）。
【００１７】
なお、写真プリント装置１と画像受付部４と写真プリント注文受付部５と画像サーバ部６とユーザ端末７のそれぞれの間におけるデータ伝送は、ローカルネットワーク又は広域ネットワークで無線又は有線のデータ伝送ラインを用いてもよいし、リムーバブル記録媒体を用いてもよい。
【００１８】
ユーザがこの写真プリント注文システムに預けた撮影コマ画像データの写真プリントＦＰを注文する場合、ユーザ端末７に残っているデータ預かり情報としてのＱＲコードをデータ伝送又はＱＲコード表示画面のスキャニングを通じて写真プリント注文受付部５に送り込んで提示する（＃０５）。写真プリント注文受付部５に入力されたＱＲコードは解読されて元の画像格納アドレスと受付データに再生される。写真プリント注文受付部５は再生された画像格納アドレスを用いて画像サーバ部６に該当する撮影コマ画像データの低解像度データのダウンロードを要求し（＃０６）、画像サーバ部６から低解像度データを受け取る（＃０７）。写真プリント注文受付部５は受け取った低解像度データから画像一覧注文画面データを作成し、これをユーザ端末に送信するか（＃０８）、又は自己のモニタに表示してユーザによるプリント注文指示を受ける（＃０９）。ユーザからの注文指示を受けると、写真プリント注文受付部５はこの注文指示から預かり情報（画像格納アドレスと受付データ）及びコマ番号別プリント枚数やプリントサイズを含む注文情報を作成し、写真プリント装置１に送る（＃１０）。写真プリント装置１は注文情報に基づいて画像サーバ部６に撮影コマ画像データの高解像度データのダウンロードを要求し（＃１１）、画像サーバ部６から高解像度データを受け取る（＃１２）。受け取った高解像度データから写真プリント装置１は注文通りの写真プリントＦＰを出力して、ユーザに渡される（＃１３）。
【００１９】
本発明による写真注文処理システムの具体的な構成例が図２に示されている。プリント写真装置１は、印画紙Ｐに対して露光処理と現像処理とを行う写真プリンタとしてのプリントステーション２０と、受け取った撮影コマ画像データに必要な画像処理を施してプリントステーション２０で使用されるプリントデータに変換して転送する操作ステーション１０とからなる、いわゆるデジタルミニラボと呼ばれる装置として構成され、画像サーバ部６はデータベースコントローラ６０として機能する汎用パソコンと複数のハードディスクからなる大容量画像データアーカイブユニット６１とから構成され、写真プリント注文受付部５は注文処理コントローラユニットとして機能する汎用パソコンとタッチパネル入力操作ユニットとを中核部材とする注文受付機として構成されており、画像受付部４はＡＴＭブースのようなマルチ機能ネットワーク端末に組み込まれた形態として構成されている。ここでは、プリント写真装置１と画像サーバ部６と写真プリント注文受付部５は互いにＬＡＮで接続されて、写真プリントショップに設置されている。画像受付部４として機能するマルチ機能ネットワーク端末は、コンビニや駅構内に設置され、インターネットなどの広域通信ネットワークを通じて前記写真プリントショップのＬＡＮと接続されている。もちろん、プリント写真装置１と画像サーバ部６と写真プリント注文受付部５と画像受付部４の全てを互いにＬＡＮで接続して写真プリントショップに設置してもよいし、全てを又は任意のものだけを地域に点在させ、遠く離れた装置間はインターネットなどの広域通信ネットワークを通じて接続してもよい。ユーザ端末７は、カメラ付き携帯電話で二次元コードの１つであるＱＲコードを取り扱うことができる機能を備えているものとする。
【００２０】
図３からよく理解できるように、写真プリント装置１のプリントステーション２０は、２つの印画紙マガジン２１に納めたロール状の印画紙Ｐを搬送してプリントサイズに切断すると共に、この切断された印画紙Ｐに対しプリントエンジンとしての露光エンジン２２で撮影コマ画像の露光を行い、この露光後の印画紙Ｐを複数の現像処理槽を有した現像処理部２３に送って現像する。乾燥の後に装置上部の横送りコンベア２４からソータに送られた印画紙Ｐ、つまり写真プリントＦＰやインデックスプリントＩＰは、このソータの複数のトレイにオーダ単位で仕分けられた状態で集積される。上述した印画紙Ｐに対する各種処理に合わせた搬送速度で印画紙Ｐを搬送するために複数のチャッカー搬送ユニット２５ａを含む印画紙搬送機構２５が設けられている。
【００２１】
露光エンジン２２は、操作ステーション１０から送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、露光ヘッドとしては、露光仕様に応じて、レーザビーム方式、蛍光ビーム方式、液晶シャッター方式、ＤＭＤ方式などの採用が可能であるが、ここではレーザビーム方式が採用されている。いずれにしても、ライン露光方式を採用しているので、プリントサイズは印画紙Ｐの幅と副走査方向での送り長さで決定される。
【００２２】
図２に示すように、操作ステーション１０のデスク状コンソールには、受け取った撮影コマ画像の処理を行う機能やプリントステーション２０に制御コマンドを送る機能などを有するコントローラ３０としての汎用パソコン及び各種情報を表示するモニタ１１や各種設定や調整を行う際に用いるキーボード１２やマウス１３が接続されている。
【００２３】
画像サーバ部６のデータベースコントローラ６０は、よく知られているように、撮影コマ画像データの格納・検索・抽出等の画像データ管理機能を有しており、撮影コマ画像データの格納を依頼してきた相手側にその撮影コマ画像データの格納場所情報（ＬＡＮやＷＡＮ上の格納アドレスや格納ディレクトリ）を返す。さらにその格納アドレスをもって撮影コマ画像データの読み出しを依頼して相手側に、撮影コマ画像データを伝送する。
【００２４】
図４に示すマルチ機能ネットワーク端末４は種々の機能を備えているが、ここでは画像受付部としての機能部分だけを説明する。このマルチ機能ネットワーク端末４は、その正面に、ユーザのカメラ付き携帯電話（以下単に携帯電話と称する）７に内蔵されているメモリカードＭから撮影コマ画像データを受け取るためのＵＳＢケーブル４１と、取り外したメモリカードＭから撮影コマ画像データを取り込むメディアリーダ４２と、ユーザ操作入力部として機能するタッチパネル４３付き液晶モニタ４４と、各種情報シートを出力するプリンタ４５を備えている。ここで読み取られた撮影コマ画像データは、通信ネットワークを介して画像サーバ部６に送られる。
【００２５】
図５に示されるように、マルチ機能ネットワーク端末４のコントローラユニット４０は、入力操作案内やタッチパネル４３上の各種操作ボタンなどを含むグラフィック操作画面の作成やそのようなグラフィック操作画面を通じてのユーザ操作入力から制御コマンドや受付データを生成するグラフィックユーザインターフェース（以下ＧＵＩと略称する）を構築するＧＵＩ部４５、入力された撮影コマ画像データを伝送可能なフォーマットに変換する画像データ処理部４６、撮影コマ画像データを画像サーバ部６に伝送することにより送り返されてきた撮影コマ画像データの画像格納アドレスと受付データとを組み合わせてデータ預かり情報を作成するデータ預かり情報作成部４７、データ預かり情報を暗号化する暗号化部４８、暗号化されたデータ預かり情報をＱＲコード化するコード生成部４９を備えており、これらはハードウエア又はソフトウエアあるいはその両方で構築される。ＱＲコード化されたデータ預かり情報はＱＲコード（正確にはＱＲコードのイメージデータ）としてユーザ端末としての携帯電話７に先の撮影コマ画像データとは逆方向の伝送ラインを使って転送される。
【００２６】
注文受付機５は、ユーザから写真プリント注文を受け付けるための汎用機であり、
図６に示すように、筐体５０の上面には表示面にタッチパネル５１ａを形成した液晶型のディスプレイ５１が設けられ、筐体５０の前面には、各種メモリコードＭに対応するメディアドライブユニット５２が装備され、筐体５０の上面でディスプレイより前面側には注文受付証を発行する受付証発行部としての熱転写式の受付証プリンタ５３と携帯電話７の画面に表示されたＱＲコードを読み取るコードスキャナ５４が備えられ、さらに筐体５０の内部には汎用コンピュータによって構成されるコントローラ５５が内蔵されている。
【００２７】
コントローラ５５の機能は、ネットワーク機能を有する汎用コンピュータと実質的に同様であり、前記コードスキャナ５４やタッチパネル５１ａとの情報のやりとり、取得したＱＲコードに基づいて画像サーバ６からの撮影画像データの読み込みやメディアドライブユニット５２からの撮影コマ画像データの読み込み、写真プリント装置１による写真プリント出力に用いられる注文情報の作成・転送などを行う。この具体例では、注文受付機５と画像サーバ部６と写真プリント装置１との間のネットワークの構築にはＴＣＰ／ＩＰ通信プロトコルを用いているが、他のネットワークプロトコルを採用しても良い。
【００２８】
コントローラ５５においてハードウエアやソフトウエア（プログラム）によって実現する機能の内、特に本発明に関係する機能としては、図７の機能ブロックで示されているように、入力操作案内やタッチパネル５１ａ上の各種操作ボタンなどを含むグラフィック操作画面の作成やそのようなグラフィック操作画面を通じてのユーザ操作入力から制御コマンドを生成するＧＵＩ部５５ａ、携帯電話７の画面に表示されたＱＲコードに対するコードスキャナ５４からの読み取り信号を解読するコード解読部５５ｂ、解読された情報には暗号がかかっているのでこの暗号情報を復号化して元のデータ預かり情報に再生する復号化部５５ｃ、再生されたデータ預かり情報に含まれている格納アドレスデータを用いて該当する撮影コマ画像データの低解像度データを画像サーバ部６から読み出す画像データ管理部５５ｄ、取得した低解像度撮影コマ画像データを用いて図８に示すような画像一覧プリント注文画面を作成する画像一覧注文ページ作成部５５ｅ、液晶ディスプレイ５１に表示された画像一覧プリント注文画面を通じて行った撮影コマ別のプリント枚数やプリントサイズからなるプリント注文から注文情報を作成する注文情報作成部５５ｆ、注文番号に加えてデータ預かり情報に含まれている顧客データやプリント料金などをプリントした注文受付証を受付証プリンタ５３を通じて発行する受付証発行処理部５５ｇが挙げられる。
【００２９】
注文情報作成部５５ｆで作成され写真プリント装置１のコントローラ３０に転送される注文情報には、データ預かり情報に含まれていた格納アドレスデータや写真プリント出力すべき撮影コマのプリントサイズやプリント枚数などがコントローラ３０が解釈できるフォーマットで組み込まれているので、この注文情報がコントローラ３０に転送されることで、写真プリント注文として処理される。
【００３０】
写真プリント装置１のコントローラ３０でこの写真プリント注文を処理する際、注文情報処理部３１が注文情報に含まれている格納アドレスデータとプリントすべき撮影コマのコマ番号とを画像サーバ部６に送って、該当する撮影コマ画像データの高解像度データを読み出す。読み出された高解像度の撮影コマ画像データは画像処理部３２で適当な画像処理を施され、プリントデータ生成部３３でプリントデータに変換され、このプリントデータがプリントステーション２０に送られることにより、写真プリントＦＰが出力される。
【００３１】
以下に、上述した写真プリント注文処理システムにおける写真プリント注文の典型的な流れを撮影コマ画像データ格納段階を示す図９の処理チャートと注文実行段階を示す図１０の処理チャートを用いて説明する。
ユーザは、携帯電話７をマルチ機能ネットワーク端末４のＵＳＢケーブル４１に接続して、携帯電話７のメモリカードＭに蓄積された撮影コマ画像データを送り出すとともに、液晶ディスプレイ４４に表示されるガイドに従ってタッチパネル４３を用いながらユーザ名などのユーザ情報等を入力する（＃２０）。マルチ機能ネットワーク端末４に入力されたユーザ情報は受付ＩＤや受付日付と組み合わされて受付データとされ、同じく入力された撮影コマ画像データとともに画像サーバ部６にインターネットなどのデータ通信回線を介して送信される（＃２１）。受付データと撮影コマ画像データを受け取った画像サーバ部６は、撮影コマ画像データを大容量画像データアーカイブユニット６１の受付データに関連づけた画像格納アドレスに格納し（＃２２）、その画像格納アドレスをマルチ機能ネットワーク端末４に返す（＃２３）。マルチ機能ネットワーク端末４のデータ預かり情報生成部４７は、返されてきた画像格納アドレスと先に作成した受付データとを組み合わせてデータ預かり情報を作成する（＃２４）。このデータ預かり情報は、セキュリティを考慮して暗号化部４８で暗号化される（＃２５）。暗号化されたデータ預かり情報は、コード生成部４９によってＱＲコード化される（＃２６）。ＱＲコード化されたデータ預かり情報、つまりＱＲコードはＵＳＢケーブル４１を介して携帯電話７に送り込まれ（＃２７）、携帯電話７の内部メモリ又はメモリカードＭに格納される（＃２８）。これにより注文準備段階が完了するが、撮影コマ画像データは携帯電話７のメモリカードＭから消去することができ、さらに多くの写真撮影が可能となる。
【００３２】
次に画像サーバ部６に格納された撮影コマ画像データのための写真プリント注文を行う手順を図１０を用いて説明する。写真プリント注文をしようとするユーザは、注文受付機５のところに出向いて、携帯電話７の画面に先に格納しているＱＲコードを表示させ、このＱＲコードをコードスキャナ５４に被せる（＃３０）。コードスキャナ５４によって携帯電話７の画面に表示されたＱＲコードの読み取りが行われ（＃３１）、その読み取り信号がコード解読部５５ｂに送られ、ＱＲコードが解読される（＃３２）。解読されたＱＲコード情報には暗号がかけられているので、さらに復号化部５５ｃで復号され、元のデータ預かり情報に再生される（＃３３）。生成されたデータ預かり情報には画像格納アドレスが含まれているので、画像データ管理部５５ｄはこの画像格納アドレスを用いて画像サーバ部６に該当する撮影コマ画像データの低解像度データのダウンロードを要求する（＃３４）。画像サーバ部６は、受け取った画像格納アドレスに基づいて撮影コマ画像データを抽出し（＃３５）、その低解像度データ（なければ高解像度データから解像度変換する）を注文受付機に送信する（＃３６）。画像一覧注文ページ作成部５５ｅは、取得した撮影コマ画像データから画像一覧注文画面を作成して（＃３７）、液晶ディスプレイ５１に表示する（＃３８）。ユーザは液晶ディスプレイ５１に表示された画像一覧注文画面を見ながら、プリントしたい撮影コマ画像を選択してプリントサイズとプリント枚数を指定する（＃３９）。ユーザからのプリント注文を受けると、注文情報作成部５５ｆが預かり情報（画像格納アドレスと受付データ）及びコマ番号別プリント枚数やプリントサイズを含む注文情報を作成し（＃４０）、写真プリント装置１に送る（＃４１）。写真プリント装置１は注文情報に含まれている画像格納アドレスとプリントすべきコマ番号を画像サーバ部６に与えることでプリント出力対象となっている撮影コマ画像データの高解像度データのダウンロードを要求する（＃４２）。画像サーバ部６は、受け取った画像格納アドレスとコマ番号に基づいて該当撮影コマ画像データを抽出し（＃４３）、その高解像度の撮影コマ画像データを写真プリント装置１に送信する（＃４４）。写真プリント装置１では取得した高解像度の撮影コマ画像データ用いて注文通りの写真プリントＦＰを出力する（＃４５）。
【００３３】
上述した具体例では、ユーザ端末７としてカメラ付き携帯電話を用いていたが、これに代えてデジタルカメラを使用することも可能である。この場合、データ預かり情報としてのＱＲコードはデジタルカメラに装着されるメモリカードＭに格納される。このＱＲコードの注文受付機５に対する提示は、メモリカードＭをデジタルカメラから取り外して、注文受付機５のメディアドライブユニット５２に挿入して、ＱＲコードを読み取らすとよい。
【産業上の利用可能性】
【００３４】
本発明による写真プリント注文処理システムは、ＱＲコードなどの二次元コードに変換されたデータ預かり情報を仲介として画像サーバに一時保管された撮影コマ画像の写真プリントを注文するビジネスモデルに利用することが出来る。
【図面の簡単な説明】
【００３５】
【図１】本発明による写真プリント注文処理システムの基本モデルを示す模式図
【図２】本発明による写真プリント注文処理システムの具体的構成を示す斜視図
【図３】画像サーバ部と写真プリント装置の構成を示すブロック図
【図４】画像受付部としてのマルチ機能ネットワーク端末の外観を示す斜視図
【図５】画像受付部としてのマルチ機能ネットワーク端末の本発明に関する機能を示す機能ブロック図
【図６】注文受付機の外観を示す斜視図
【図７】注文受付機の機能を示す機能ブロック図
【図８】画像一覧注文画面の一例を示す画面図
【図９】撮影コマ画像データ格納段階を示す処理チャート
【図１０】注文実行段階を示す処理チャート
【符号の説明】
【００３６】
１：写真プリント装置
４：画像受付部（マルチ機能ネットワーク端末）
５：写真プリント注文受付部（注文受付機）
６：画像サーバ部
７：ユーザ端末（カメラ付き携帯電話）
２０：プリントステーション
３０：コントローラ
４７：データ預かり情報生成部
４８：暗号化部
４９：コード生成部
５５ｂ：コード解読部
５５ｃ：復号化部
５５ｅ：画像一覧注文ページ作成部
５５ｆ：注文情報作成部
ＦＰ：写真プリント
【図１】
2005234975.tif 000003
【図２】
2005234975.tif 000004
【図３】
2005234975.tif 000005
【図４】
2005234975.tif 000006
【図５】
2005234975.tif 000007
【図６】
2005234975.tif 000008
【図７】
2005234975.tif 000009
【図８】
2005234975.tif 000010
【図９】
2005234975.tif 000011
【図１０】
2005234975.tif 000012